(57)【要約】【課題】前回のプリエンファシス後のスペクトルを保ちつつ、かつ、増減設した波長に対してはできる限り平坦になるように増減設後の平坦化制御を行えるようにする。【解決手段】ラマンアンプの励起比率を調整することにより次段の光増幅器に入力する光パワーレベルを均一にするパワーレベル均一化手段、送信端にてパワーレベルを調整して受信端の光ＳＮＲを均一にする光ＳＮＲ均一化手段、光ＳＮＲ均一化制御前後における各波長のパワー変化分を表す補正値を取得する補正値取得手段を設け、パワーレベル均一化手段は、ラマンアンプでのパワーレベル均一化制御に際して、前回の光ＳＮＲ均一化制御前後における各波長のパワー変化分を表わす補正値を使用して均一化制御を行い、しかる後、光ＳＮＲ均一化手段は光ＳＮＲ均一化制御を行う。【選択図】　　図３
2004144815.tif 000002
【特許請求の範囲】
【請求項１】
光損失媒質と該光損失媒質における損失を補償するための光増幅器やラマンアンプが従属接続された波長多重光伝送システムにおいて、
ラマンアンプの励起比率を調整することにより次段の光増幅器に入力する光パワーレベルを均一にするパワーレベル均一化手段、
送信端にてパワーレベルを調整して受信端の光ＳＮＲを均一にする光ＳＮＲ均一化手段、
光ＳＮＲ均一化制御の前後における各波長のパワー変化分を表す補正値を取得する補正値取得手段、
を備え、
前記パワーレベル均一化手段は、ラマンアンプでのパワーレベル均一化制御に際して、前回の光ＳＮＲ均一化制御前後における各波長のパワー変化分を表わす前記補正値を使用して均一化制御を行い、しかる後、前記光ＳＮＲ均一化手段は光ＳＮＲ均一化制御を行う、
ことを特徴とする波長多重光伝送システム。
【請求項２】
前記補正値取得手段は、中継局に設けられた監視制御装置であり、該監視制御装置は、ラマンアンプに設けられたスペクトルアナライザが検出した光ＳＮＲ均一化制御前後における各波長の光パワーの差分を前記補正値として算出し、光パワー均一化制御に際して、該スペクトルアナライザが検出した各波長の光パワーから前記補正値を減算して減算結果をラマンアンプに入力し、
ラマンアンプは該減算結果に基づいて光パワー均一化制御を行う、
ことを特徴とする請求項１記載の波長多重光伝送システム。
【請求項３】
監視制御信号を各中継局と送受信可能な外部制御装置を備え、
該外部制御装置は光ＳＮＲ均一化制御前後の光パワーデータを入力されて前記補正値を計算し、ラマンアンプによる前記光パワー均一化制御に際して監視制御信号を用いて該補正値をラマンアンプに送付し、ラマンアンプは該光パワー均一化制御時における光パワーデータから前記補正値を減算した値を用いて光パワー均一化制御を行う、
ことを特徴とす請求項１記載の波長多重光伝送システム。
【請求項４】
光損失媒質と該光損失媒質における損失を補償するための光増幅器やラマンアンプが従属接続された波長多重光伝送システムの中継局において、
ラマンアンプの励起比率を調整することにより次段の光増幅器に入力する光パワーレベルを均一にするパワーレベル均一化手段、
受信端の光ＳＮＲを均一にするための送信端における光ＳＮＲ均一化制御の前後における各波長のパワー変化分を表す補正値を取得する補正値取得手段、
を備え、
前記パワーレベル均一化手段は、ラマンアンプでのパワーレベル均一化制御に際して、前回の光ＳＮＲ均一化制御前後における各波長のパワー変化分を表わす前記補正値を使用して均一化を行う、
ことを特徴とする波長多重光伝送システムの中継局。
【請求項５】
前記補正値取得手段は、中継局に設けられた監視制御装置であり、該前後における各波長のパワー変化分を表わす監視制御装置は、ラマンアンプに設けられたスペクトルアナライザが検出した光ＳＮＲ均一化制御前後における各波長の光パワーの差分を前記補正値として算出し、光パワー均一化制御に際してスペクトルアナライザが検出した各波長の光パワーから前記補正値を減算して減算結果をラマンアンプに入力し、
ラマンアンプは該減算結果に基づいて光パワー均一化制御を行う、
ことを特徴とすることを特徴とする請求項４記載の中継局。
【発明の詳細な説明】
【０００１】
【発明の属する技術分野】
本発明は、波長多重光伝送システム及びその中継局に係わり、特に、光増幅器の利得や伝送路光ファイバの損失などの波長依存性によって生じる受信光パワーのチャネル間偏差（波長間偏差）を抑圧することにより光伝送システムの大容量化、長距離化を実現する波長多重光伝送システム及び中継局に関する。
【０００２】
【従来の技術】
波長多重光増幅中継伝送システムにおける受信光パワーのチャネル間ばらつき（波長間ばらつき）は、波長多重信号が通過する光損失媒質（光デバイス、光増幅器、光伝送路）などの特性、波長依存性に起因し、その要因と特徴により以下のような成分に分類される。
１）光伝送路、光デバイスの損失波長依存性、光伝送路のラマン効果などに起因
するスロープ（一次傾斜）成分。
２）光増幅器の利得の波長依存性などに起因するうねり（比較的緩やかにスペク
トル形状が上下する）成分。
３）光増幅器内の利得等化器、ＯＡＤＭ（Ｏｐｔｉｃａｌ　Ａｄｄ／Ｄｒｏｐ　Ｍｕｌｔｉｐｌｅｘｅｒ）などに使用する光デバイス、各チャネルの送信器出力レベル偏差および波長多重後の調整誤差などに起因するリプル（０．１〜１ｎｍオーダーでの偏差）成分。
【０００３】
これらの要因の結果としておこる、受信端における光パワーのチャネル間ばらつきは、光ＳＮＲのばらつきを発生し、その結果として伝送特性（ビットエラーレートＢＥＲ）を劣化させることとなり、波長多重光伝送の容量、伝送距離を著しく制限してしまうこととなる。すなわち、多重化された波長のうち、最も低いパワーの波長信号が伝送後の受信パワーの下限値であるので、最大伝送距離は、最も低いパワーの波長信号によって制限される。したがって、伝送後の波長間偏差を低減することが最大中継伝送距離を拡大させる上で重要となる。
【０００４】
その対策として、波長に対する光スペクトルのスロープ（波長特性の一次傾斜）、うねりの成分をラマンアンプの励起光の励起比率を変えることによって取り除く平坦化制御や送信端での光出力レベルをチャネル毎に変えて、受信端での光ＳＮＲ（Ｓｉｇｎａｌ　ｔｏ　Ｎｏｉｓｅ　Ｒａｔｉｏ）を均一にする光プリエンファシス制御がある。
ラマンアンプの平坦化制御は、各ノード（光中継局）の光増幅器への入力レベルをできる限り均一にすることを目的とし、プリエンファシス制御は各チャネルの光ＳＮＲを計算または測定し、送信端での出力レベルを調整して受信端での光ＳＮＲを均一化することを目的としている。これらの制御を行うことによって、システム全体としての光ＳＮＲ特性を向上させ、より大容量、長距離の伝送を可能としている。
【０００５】
図１４は光プリエンファシス制御の説明図である（特開平２００１−２０３４１４号公報）。光送信局１１内の光送信器１１ａで生成されたＷＤＭ（Ｗａｖｅｌｅｎｇｔｈ　ｄｉｖｉｓｉｏｎ　ｍｕｌｔｉｐｌｅｘｉｎｇ）光信号は、光伝送路１２に設けられた複数個の光中継局１３ａ、１３ｂ、…１３ｎで光伝送路１２の損失や光中継局１３ａ、１３ｂ、…１３ｎ　の損失を補償するために増幅されて、光受信局１４に伝送され、光受信器１４ａにより受信、処理される。光中継局１３ａ、１３ｂ、…１３ｎの損失は、局内の分散補償ファイバなどの光部品によって生じる。
【０００６】
ＷＤＭ光信号は、光送信器１１ａから光伝送路１２へ送出される際、光送信局内のプリエンファシス制御回路１１ｂによってプリエンファシスが施される。すなわち、プリエンファシス制御回路１１ｂは、光受信局１４より受信した全チャネルの光ＳＮＲの平均値と各チャネルの光ＳＮＲの差を演算し、該差を補償するように各チャネルの光レベルを光減衰器１１ｃで調整し、光送信器１１ａは該調整された全チャネルの光信号を波長多重して光伝送路１２へ送出する。そして、各波長光信号の光ＳＮＲは、光受信局１４に備えられた光ＳＮＲ測定回路１４ｂによって測定され、回線１５を介して光送信局１１に送信され、以後上記プリエンファシス制御が繰り返される。以上により光受信局１４において光ＳＮＲが均一になるように制御される。
【０００７】
図１５はラマンアンプの平坦化制御の構成図である。
ラマンアンプは図１６に示すように励起光波長から増幅媒体のラマンシフト量だけシフトされた信号波長に利得を生じるものであり、ラマンシフト量及びラマン帯域は増幅媒体固有に与えられるものである。従って、励起波長を長波長側にシフトすると利得の中心波長及び利得帯域が励起波長のシフト量と同じだけ長波長側にシフトする。また、励起波長が僅かずつ異なる励起光源を一括して増幅媒体に入力することにより図１７に示すように広帯域の光増幅が可能である。また、利得は励起光波長のパワーが大きいほど大きくなるように変化するから、各励起波長のパワーを制御することにより任意の利得特性をラマンアンプに付与することができる（特開平２００２−７２２６２号公報）。
【０００８】
複数の信号光（ＷＤＭ信号光）が波長多重されて、ラマンアンプ２０の入力側から後方励起されたラマンアンプ増幅媒体２１に入力する。波長多重部２２は中心波長が異なる励起光源ブロック２３ａ、２３ｂ、２３ｃからの波長λｐ１〜λｐ３の励起光を多重して合波カプラ２４に入力する。合波カプラ２４は、波長λｐ１〜λｐ３の励起光と波長多重した主信号光とを合波してラマンアンプ増幅媒体２１に供給する。スペクトルアナライザ２５は光増幅器２６の入力部あるいは出力部（図では入力部）のスペクトルを検出して励起光制御部２７に入力する。励起光制御部２７は、スペクトルアナライザ２５の出力より波長特性の傾斜（チルト）を計算し、該波長特性と逆特性となるように各励起光のパワーを計算して励起光源ブロック２３ａ、２３ｂ、２３ｃに入力する。この結果、励起光源ブロック２３ａ、２３ｂ、２３ｃは入力されたパワーに応じた強さ（励起比率）を有する波長λｐ１〜λｐ３の励起光を発生し、補償対象区間の光伝送路で発生するチルトを補正し、波長特性を平坦化して光増幅器２６に入力する。
以上の補償方式により、受信端におけるチャネル間の光パワー偏差、光ＳＮＲ偏差を最小限に抑え、大容量、長距離の伝送を可能にする。
また、光伝送路に設けられた複数の光増幅器間に減衰度が可変な光アッテネータを設け、該光アッテネータにより波長特性を平坦にする技術もある（特開平２００２−８４０２４号公報）。
【特許文献１】特開平２００１−２０３４１４号公報
【特許文献２】特開平２００２−７２２６２号公報
【特許文献３】特開平２００２−８４０２４号公報
【０００９】
【発明が解決しようとする課題】
ラマンアンプによる平坦化制御は、光プリエンファシス制御を行うために送信端に配置される各チャネルの光減衰器の減衰量に十分な余裕があれば、予めスペクトルのスロープ、うねりの成分を除去する方法として非常に有効である。
しかし、ラマンアンプの平坦化制御が、光増幅器の入出力パワーの均一化を目的としているのに対し、光プリエンファシス制御は光ＳＮＲの均一化を目的としていることから、両方の制御を併用する際には、以下の▲１▼〜▲３▼について考慮する必要がある。
▲１▼各ノードの光増幅器への入力スペクトルが平坦になっていれば、理論上は受信端での光ＳＮＲも均一になっているはずである。しかし、ラマンアンプは１乃至数個の励起光で平坦化するため平坦化には限界があり、うねりの成分や、チャネル毎にレベルに偏差が生じるリプル成分は除去できない。このため、最終的に光ＳＮＲを均一化するためには、平坦化後に光プリエンファシス制御を行う必要がある。
▲２▼波長多重光伝送システムを導入する場合、そのシステムが大容量、多数の波長をサポートできる機能を有していても、初期は少数波長から導入していくのが普通である。平坦化制御は、各ノードのスペクトラムアナライザの測定結果を見ながら、スペクトルが平坦になるように励起光を調整する制御であるが、初期導入時の数波しかない状態で平坦化したときの励起状態と、最終的に多波長増設された後で平坦化したときの励起状態とは異なっている可能性が高い。できるだけ光プリエンファシス制御に負担を掛けないように、波長数、波長配置毎に最適な平坦化制御を行うためには、波長が増設、減設された時点で平坦化制御を行うのが好ましい。
▲３▼以上のように、光特性上最適な状態は、最終的に光プリエンファシス制御で作り出すため、最初に平坦化制御、次に光プリエンファシス制御の順番で制御を行う必要がある。但し、波長の増減設などを行った後には、プリエンファシス制御の負担を軽減するために再度平坦化制御を行う必要があり、その時点で、既存の波長に対してプリエンファシス制御により最適になっていたスペクトル状態を崩してしまう可能性がある。このことはサービス開始後の光信号劣化の要因となり、エラーを引き起こす結果となりうる。かかる状況を避けるためには、増減設後の平坦化制御を行う際、前回のプリエンファシス後のスペクトルを保ちつつ、かつ、増設した波長に対してはできる限り平坦になるような制御を行う必要がある。しかし、特許文献１−３で示した従来技術ではかかる平坦化制御を行っていない。
以上から本発明の目的は、前回のプリエンファシス後のスペクトルを保ちつつ、かつ、増減設した波長に対してはできる限り平坦になるように波長増減設後の平坦化制御を行えるようにすることである。
【００１０】
【課題を解決するための手段】
本発明の第１は、光損失媒質と該光損失媒質における損失を補償するための光増幅器やラマンアンプが従属接続された波長多重光伝送システムであり、▲１▼ラマンアンプの励起比率を調整することにより次段の光増幅器に入力する光パワーレベルを均一にするパワーレベル均一化手段、▲２▼送信端にてパワーレベルを調整して受信端の光ＳＮＲを均一にする光ＳＮＲ均一化手段、▲３▼光ＳＮＲ均一化制御前後における各波長のパワー変化分を表す補正値を取得する補正値取得手段を備えている。パワーレベル均一化手段は、ラマンアンプでのパワーレベル均一化制御に際して、前回の光ＳＮＲ均一化制御前後における各波長のパワー変化分を表わす前記補正値を使用して均一化制御を行い、しかる後、光ＳＮＲ均一化手段は光ＳＮＲ均一化制御を行う。
たとえば、前記補正値取得手段を中継局に設けられた監視制御装置とする。監視制御装置は、▲１▼ラマンアンプに設けられたスペクトルアナライザが検出した光ＳＮＲ均一化制御の前後における各波長の光パワーの差分を前記補正値として算出して保持し、▲２▼光パワー均一化制御に際して、スペクトルアナライザが検出した各波長の光パワーから前記補正値を減算して減算結果をラマンアンプに入力し、▲３▼ラマンアンプは該減算結果に基づいて光パワー均一化制御を行う。
本発明の第２は、光損失媒質と該光損失媒質における損失を補償するための光増幅器やラマンアンプが従属接続された波長多重光伝送システムの中継局であり、▲１▼ラマンアンプの励起比率を調整することにより次段の光増幅器に入力する光パワーレベルを均一にするパワーレベル均一化手段、▲２▼送信端でパワーレベルを調整して受信端の光ＳＮＲを均一にする光ＳＮＲ均一化制御の前後における、各波長のパワー変化分を表す補正値を取得する補正値取得手段を備えている。パワーレベル均一化手段は、ラマンアンプでのパワーレベル均一化制御に際して、前回の光ＳＮＲ均一化制御前後における各波長のパワー変化分を表わす前記補正値を使用して均一化を行う。
たとえば、前記補正値取得手段を中継局に設けられた監視制御装置とする。監視制御装置は、▲１▼ラマンアンプに設けられたスペクトルアナライザが検出した光ＳＮＲ均一化制御の前後における各波長の光パワーの差分を前記補正値として算出して保持し、▲２▼光パワー均一化制御に際して、スペクトルアナライザが検出した各波長の光パワーから前記補正値を減算して減算結果をラマンアンプに入力し、▲３▼ラマンアンプは該減算結果に基づいて光パワー均一化制御を行う。
本発明の波長多重光伝送システム及び中継器によれば、前回のプリエンファシス後のスペクトルを保ちつつ、かつ、増設した波長に対してはできる限り平坦になるように増設後の平坦化制御を行うことができる。
【００１１】
【発明の実施の形態】
（Ａ）本発明の概略
一度プリエンファシス制御を行ってスペクトル形状を最適化した場合、波長増減設時にこの最適化したスペクトル形状を崩さないように平坦化制御（均一化制御）を行うには、上記プリエンファシス制御の前後におけるパワーレベルの変動量を記憶しておき、波長増減設時にその変動量情報を用いて平坦化制御を行う方法が有効である。
具体的には、各チャネル（波長）毎にプリエンファシス後のスペクトル形状についての情報（パワーレベルの変動量）を計算または測定して記憶し、波長増減設時におけるラマンアンプの平坦化制御に際してスペクトラムアナライザからの情報（パワーレベル）から、記憶しておいた情報を減算することで、プリエンファシス制御によって変動したレベルを考慮した上での平坦化制御を行うことが可能になる。
【００１２】
（Ｂ）本発明の初期立ち上げ時及び波長増減設時の全体の制御
図１は本発明の初期立ち上げ時及び波長増減設時の全体の処理フローである。波長多重光伝送システムは、例えば図２に示すように送信端５１と受信端５２との間に光信号を増幅すると共にチャネル間偏差を補償するための多数の中継局５３ａ〜５３ｄが設けられている。送信端、受信端、中継局をノードと呼ぶものとすると、図ではノードＡ〜ノードＦが設けられている。送信端であるノードＡ、中継局５３ａ〜５３ｄであるノードＢ〜Ｅ、受信端５２であるノードＦには、光増幅器ＰＡＭが設けられ、適宜、ラマンアンプＲＭＡ、スペクトルアナライザＳＰＡが設けられている。又、送信端５１は図１４で説明したと同様の構成を備えプリエンファシス制御回路５１ａ、光減衰器５１ｂが設けられ、受信端５２には光ＳＮＲ測定回路５４ｂが設けられている。
【００１３】
初期立ち上げ制御において（図１（ａ））、各ノードの光増幅器及びラマンアンプを立げる（ステップ１０１）。立ち上げ後、各スペクトルアナライザＳＰＡは光増幅器ＰＡＭの入力部あるいは出力部における波長特性（波長毎のパワー）を測定し、各ラマンアンプＲＭＡはスペクトルアナライザＳＰＡにより検出された該波長特性を用いて平坦化制御を行う（ステップ１０２）。次に光プリエンファシス制御を行うが、光プリエンファシスによってどの程度スペクトル形状が変わったかどうかを見るために、ラマンアンプＲＭＡ又は監視制御部（図示せず）はプリエンファシス制御前の情報を収集する。例えば、スペクトルアナライザＳＰＡが測定するプリエンファシス前の波長毎のパワーを保存する（ステップ１０３）。
【００１４】
しかる後、送信端５１においてプリエンファシスを行い（ステップ１０４）、プリエンファシス実行後、ラマンアンプＲＭＡはプリエンファシス後の情報を収集する。例えば、スペクトルアナライザＳＰＡが測定するプリエンファシス後の波長特性（波長毎のパワー）を保存する（ステップ１０５）。また、プリエンファシス後の波長毎のパワーＤ２ｎとプリエンファシス前の波長毎のパワーＤ１ｎとの差を演算して補正値Ｄｎとして保存する（ステップ１０６）。この値が実際に使用されるのは、後日の波長増減設時にラマンアンプの平坦化制御を行う場合である。以上により、初期立ち上げ時における処理が終了する。以後、波長増減設などが起きるまではラマンアンプＲＭＡの励起比率は動かさず、一定の励起光を出力しつづける。
かかる状態において、波長増減設が起きると（ステップ１５１）、ラマンアンプＲＭＡは立上げ時に測定または算出しておいた補正値を使用して、平坦化制御を行う（ステップ１５２）。つまり、プリエンファシスによってスペクトル形状が動いた部分に関して、その形状を保つように平坦化制御を行う。例えば、ラマンアンプＲＭＡは、スペクトルアナライザＳＰＡが検出した平坦化制御時の各波長の光パワーから保存してある前記補正値を減算し、該減算結果に基づいて光パワー均一化制御を行う。これにより、波長が増設または減設されたことによるスペクトルの変動分は、平坦化制御によってより最適な状態に調整される。
【００１５】
ついで、立上げ時と同様に、プリエンファシス制御前の状態を測定または計算して保存する（ステップ１５３）。たとえば、ラマンアンプＲＭＡはプリエンファシス制御前のスペクトルアナライザＳＰＡが測定するプリエンファシス前の波長毎のパワーを保存する。
しかる後、送信端５１においてプリエンファシスを行い（ステップ１５４）、プリエンファシス実行後、ラマンアンプＲＭＡはプリエンファシス後の情報を収集する。例えば、スペクトルアナライザＳＰＡが測定するプリエンファシス後の波長特性（波長毎のパワー）を保存する（ステップ１５５）。また、プリエンファシス後の波長毎のパワーとプリエンファシス前の波長毎のパワーとの差を演算して前回補正値Ｄｎに足し込んで新しい補正値として保存する（ステップ１５６）。以上により、波長増減設時における処理が終了する。以後、次の増減設などが起きるまではラマンアンプＲＭＡの励起比率は動かさず、一定の励起光を出力しつづける。
波長増減設を行う毎に上記動作、制御を繰り返すことにより、プリエンファシスによるスペクトル形状の変化分を保持し、かつ、増減設によるスペクトル形状の変化分を補償するように制御を行うことが可能になる。
【００１６】
（Ｃ）第１実施例の平坦化制御
図３は第１実施例の平坦化制御を説明するための最小限のノード構成図であり、６１は光ファイバよりなる光伝送路、６２は平坦化制御を行うラマンアンプ（ＲＭＡ）、６３は光信号を増幅する光増幅器、６４は光増幅器の入力部あるいは出力部における各波長のパワーを検出するスペクトルアナライザ（ＳＰＡ）である。
ラマンアンプ６２は図１５に示す従来と同様の構成を備えている。すなわち、ＷＤＭ信号光がラマンアンプ６２の入力側から後方励起されたラマンアンプ増幅媒体６２ａに入力する。波長多重部６２ｂは中心波長が異なる励起光源ブロック６２ｃ１，６２ｃ２，６２ｃ３からの波長λｐ１〜λｐ３の励起光を多重して合波カプラ６２ｄに入力する。合波カプラ６２ｄは、波長λｐ１〜λｐ３の励起光とＷＤＭ信号光とを合波してラマンアンプ増幅媒体６２ａに供給する。
スペクトルアナライザ６４は光増幅器６３の入力部あるいは出力部の波長毎のパワーを検出して励起光制御部６２ｅに入力する。励起光制御部６２ｅは、スペクトルアナライザ６４の出力より波長特性の傾斜（チルト）を計算し、該波長特性と逆特性となるように各励起光のパワーを計算して励起光源ブロック６２ｃ１，６２ｃ２，６２ｃ３に入力する。この結果、励起光源ブロック６２ｃ１，６２ｃ２，６２ｃ３は入力されたパワーに応じた強さ（励起比率）を有する波長λｐ１〜λｐ３の励起光を発生し、光伝送路６１で発生するチルトを補正し、波長特性を平坦化して光増幅器６３に入力する。
【００１７】
図４、図５はそれぞれ第１実施例の初期立ち上げ時と増減設時におけるラマンアンプとスペクトルアナライザの処理フローである。第１実施例では、プリエンファシス制御前後のスペクトラムアナライザ６４からの情報（波長特性）をラマンアンプ６２が保持し、このプリエンファシス制御前後の波長特性の差分を補正値として計算、保存し、増減設時に該補正値を用いて平坦化制御する。
図４の処理において、各ノードの光増幅器及びラマンアンプの立ち上げ後、スペクトルアナライザＳＰＡは光増幅器６３の入力部あるいは出力部における波長特性（波長毎のパワー）を測定してラマンアンプ６２に入力し（ステップ２０１）、該ラマンアンプによる平坦化制御の終了を待つ（ステップ２０２）。
一方、ラマンアンプ６２の励起光制御部６２ｅはスペクトルアナライザ６４から波長毎のパワーを受信すれば（ステップ２５１）、波長特性が平坦になるように平坦化制御を実施し（ステップ２５２）、以後、プリエンファシス制御前の波長毎のパワーＤ１ｎ（ｎ＝１，２，３，…）の受信を待つ（ステップ２５３）。なお、ｎは波長番号である。
スペクトルアナライザ６４は、ラマンアンプによる平坦化制御が終了すれば、プリエンファシス制御前の光増幅器６３の入力部あるいは出力部における波長毎のパワーＤ１ｎ（ｎ＝１，２，３，…）を測定してラマンアンプ６２に通知し（ステップ２０３）、プリエンファシス制御の完了を待つ（ステップ２０４）。プリエンファシス制御が完了すれば、光増幅器６３の入力部あるいは出力部におけるパワーＤ２ｎを測定してラマンアンプ６２に通知し（ステップ２０５）、初期立ち上げ時の制御を終了する。
ラマンアンプ６２の励起光制御部６２ｅはステップ２５３において、プリエンファシス制御前の波長毎のパワーＤ１ｎ（ｎ＝１，２，３，…）の受信すれば保存し（ステップ２５４）、以後、プリエンファシス制御後の波長毎のパワーＤ２ｎ（ｎ＝１，２，３，…）の受信を待つ（ステップ２５５）。そして、プリエンファシス制御後の波長毎のパワーＤ２ｎ（ｎ＝１，２，３，…）を受信すれば保存し（ステップ２５６）、初期立ち上げ時の制御を終了する。なお、励起光制御部６２ｅはＤ２ｎとＤ１ｎ　の差分Ｄｎ（＝Ｄ２ｎ−Ｄ１ｎ）を演算し、補正値として保存しておくこともできる。
【００１８】
図５の処理において、スペクトルアナライザ６４は、波長増減設が発生したか監視し（ステップ２１１）、ラマンアンプの励起光制御部６２ｅは、スペクトルアナライザ６４から光増幅器の入力部あるいは出力部における波長毎のパワーＰｎ（ｎは波長番号）を受信したか監視する（ステップ２６１）。
スペクトルアナライザ６４は、波長増減設を検出すれば、光増幅器６３の入力部あるいは出力部における波長毎のパワーＰｎを測定してラマンアンプ６２に通知し（ステップ２１２）、該ラマンアンプによる平坦化制御の終了を待つ（ステップ２１３）。
ラマンアンプの励起光制御部６２ｅは、スペクトルアナライザ６４から波長毎のパワーＰｎを受信すれば、各波長のパワーＰｎ′を補正値Ｄｎを用いて次式
2004144815.tif 000003
により演算し（ステップ２６２）、このＰｎ′を用いて平坦化制御を行う（ステップ２６３）。以後、励起光制御部６２ｅは、プリエンファシス制御前の波長毎のパワーＤ１ｎ′（ｎ＝１，２，３，…）の受信を待つ（ステップ２６４）。
【００１９】
スペクトルアナライザ６４は、ラマンアンプによる平坦化制御が終了すれば、プリエンファシス制御前の光増幅器６３の入力部あるいは出力部における波長毎のパワーＤ１ｎ′（ｎ＝１，２，３，…）を測定してラマンアンプ６２に通知し（ステップ２１４）、プリエンファシス制御の完了を待つ（ステップ２１５）。プリエンファシス制御が完了すれば、光増幅器６３の入力部あるいは出力部におけるパワーＤ２ｎ′を測定してラマンアンプ６２に通知し（ステップ２１６）、波長増減設時の制御を終了する。
ラマンアンプ６２の励起光制御部６２ｅは、ステップ２６４において、プリエンファシス制御前の波長毎のパワーＤ１ｎ′（ｎ＝１，２，３，…）の受信すれば、該パワーＤ１ｎ′を保存し（ステップ２６５）、以後、プリエンファシス制御後の波長毎のパワーＤ２ｎ′（ｎ＝１，２，３，…）の受信を待つ（ステップ２６６）。そして、プリエンファシス制御後の波長毎のパワーＤ２ｎ′（ｎ＝１，２，３，…）を受信すれば保存し（ステップ２６７）、波長増減設時の制御を終了する。励起光制御部６２ｅはＤ２ｎ′とＤ１ｎ′　の差分Ｄｎ′（＝Ｄ２ｎ′−Ｄ１ｎ′）を演算し、平坦化制御の補正値Ｄｎを新たにＤｎ＝Ｄｎ（ｏｌｄ）＋Ｄｎ′と置きかえて保存する。（Ｄｎ（ｏｌｄ）は前回の補正値Ｄｎ）
【００２０】
（Ｄ）第２実施例の平坦化制御
図６は第２実施例の平坦化制御を説明するための最小限のノード構成図であり、図３の第１実施例と同一部分には同一符号を付している。異なる点は、スペクトルアナライザ６４が各波長のパワーＰｎ′を（１）式により演算して波長増減設時にラマンアンプ６４に入力する点である。又、スペクトルアナライザ６４は、スペクトル検出部６４ａと演算部６４ｂを備えている。
図７、図８はそれぞれ第２実施例の初期立ち上げ時と増減設時におけるラマンアンプとスペクトルアナライザの処理フローである。第２実施例では、プリエンファシス制御前後の光増幅器６３の入力部あるいは出力部における波長特性をスペクトルアナライザ６４が測定、保持し、波長増減設時に（１）式の演算を行って各波長のパワーＰｎ′をラマンアンプ６４に入力する。
【００２１】
図７の処理において、各ノードの光増幅器及びラマンアンプの立ち上げ後、スペクトルアナライザ６４は光増幅器６３の入力部あるいは出力部における波長特性（波長毎のパワー）を測定してラマンアンプ６２に入力し（ステップ３０１）、該ラマンアンプによる平坦化制御の終了を待つ（ステップ３０２）。
一方、ラマンアンプ６２の励起光制御部６２ｅはスペクトルアナライザ６４から波長毎のパワーを受信すれば（ステップ３５１）、波長特性が平坦になるように平坦化制御を実施し（ステップ３５２）、初期立ち上げ時の制御を終了する。
一方、スペクトルアナライザ６４は、ラマンアンプによる平坦化制御が終了すれば、プリエンファシス制御前の光増幅器６３の入力部あるいは出力部における波長毎のパワーＤ１ｎ（ｎ＝１，２，３，…）を測定して保存すると共に（ステップ３０３）、プリエンファシス制御の完了を待つ（ステップ３０４）。なお、ｎは波長番号である。
ついで、プリエンファシス制御が完了すれば、光増幅器６３の入力部あるいは出力部におけるパワーＤ２ｎを測定して保存し（ステップ３０５）、初期立ち上げ時の制御を終了する。この場合、スペクトルアナライザ６４の演算部６４ｂは、予めＤ２ｎとＤ１ｎ　の差分Ｄｎ（＝Ｄ２ｎ−Ｄ１ｎ）を演算し、補正値として保存しておくこともできる。
【００２２】
図８の処理において、スペクトルアナライザ６４は波長増減設が発生したか監視し（ステップ３１１）、ラマンアンプの励起光制御部６２ｅはスペクトルアナライザ６４から各波長のパワーＰｎ′を受信するのを待つ（ステップ３６１）。
スペクトルアナライザ６４は、波長増減設を検出すれば、光増幅器の入力部あるいは出力部における波長毎のパワーＰｎを測定する（ステップ３１２）。ついで、スペクトルアナライザ６４の演算部６４ｂは、（１）式により補正値Ｄｎ（＝Ｄ２ｎ−Ｄ１ｎ）を用いて各波長のパワーＰｎ′を演算し（ステップ３１３）、ラマンアンプ６２に通知し（ステップ３１４）、該ラマンアンプによる平坦化制御の終了を待つ（ステップ３１５）。
ラマンアンプの励起光制御部６２ｅは、スペクトルアナライザ６４から波長毎のパワーＰｎ′を受信すれば、Ｐｎ′を用いて平坦化制御を行い（ステップ３６２）、波長増減設時の制御を終了する。
スペクトルアナライザ６４は、ラマンアンプによる平坦化制御が終了すれば、プリエンファシス制御前の光増幅器６３の入力部あるいは出力部における波長毎のパワーＤ１ｎ′（ｎ＝１，２，３，…）を測定して保存し（ステップ３１６）、プリエンファシス制御の完了を待つ（ステップ３１７）。プリエンファシス制御が完了すれば、光増幅器６３の入力部あるいは出力部におけるパワーＤ２ｎ′を測定して保存し（ステップ３１８）、波長増減設時の制御を終了する。スペクトルアナライザ６４の演算部６４ｂは、Ｄ２ｎ′とＤ１ｎ′　の差分Ｄｎ′（＝Ｄ２ｎ′−Ｄ１ｎ′）を演算し、平坦化制御の補正値Ｄｎを新たにＤｎ＝Ｄｎ（ｏｌｄ）＋Ｄｎ′と置きかえて保存する。（Ｄｎ（ｏｌｄ）は前回の補正値Ｄｎ）
【００２３】
（Ｅ）第３実施例の平坦化制御
図９は第３実施例の平坦化制御を説明するための波長多重光伝送システムの構成図であり、送信端５１と受信端５２との間に光信号を増幅すると共にチャネル間偏差を補償するための多数の中継局５３ａ〜５３ｄが設けられている。送信端であるノードＡ、中継局５３ａ〜５３ｄであるノードＢ〜Ｅ、受信端５２であるノードＦには、光増幅器６３，監視制御部７１が設けられ、適宜、ラマンアンプ６２、スペクトルアナライザ６４が設けられている。又、送信端５１には図１４で説明したプリエンファシス制御回路５１ａ、光減衰器５１ｂが設けられ、受信端５２には光ＳＮＲ測定回路５４ｂが設けられている。図１０、図１１はそれぞれ第３実施例の初期立ち上げ時と増減設時におけるラマンアンプ、スペクトルアナライザ、監視制御部の処理フローである。第３実施例では、プリエンファシス制御前後の光増幅器６３の入力部あるいは出力部における波長特性を監視制御部７１が保存し、増減設時に補正値Ｄｎを演算してラマンアンプ６４に入力し、ラマンアンプが（１）式に従ってＰｎ′を計算して平坦化制御を実行する。
【００２４】
図１０の処理において、各ノードの光増幅器及びラマンアンプの立ち上げ後、スペクトルアナライザ６４は光増幅器６３の入力部あるいは出力部における波長特性（波長毎のパワー）を測定してラマンアンプ６２に入力し（ステップ４０１）、該ラマンアンプによる平坦化制御の終了を待つ（ステップ４０２）。
一方、ラマンアンプ６２はスペクトルアナライザ６４から波長毎のパワーを受信すれば（ステップ４５１）、波長特性が平坦になるように平坦化制御を実施し（ステップ４５２）、初期立ち上げ時の制御を終了する。
スペクトルアナライザ６４は、ラマンアンプによる平坦化制御が終了すれば、プリエンファシス制御前の光増幅器６３の入力部あるいは出力部における波長毎のパワーＤ１ｎ（ｎ＝１，２，３，…）を測定して監視制御部７１に通知し（ステップ４０３）、プリエンファシス制御の完了を待つ（ステップ４０４）。なお、ｎは波長番号である。
プリエンファシス制御が完了すれば、光増幅器６３の入力部あるいは出力部における波長毎のパワーＤ２ｎを測定して監視制御部７１に通知し（ステップ４０５）、初期立ち上げ時の制御を終了する。
監視制御部７１は、プリエンファシス制御前の波長毎のパワーＤ１ｎ（ｎ＝１，２，３，…）の受信を待ち（ステップ４８１）、スペクトルアナライザ６４より、波長毎のパワーＤ１ｎを受信すれば保存し（ステップ４８２）、プリエンファシス制御後の波長毎のパワーＤ２ｎ（ｎ＝１，２，３，…）の受信を待つ（ステップ４８３）。そして、プリエンファシス制御後の波長毎のパワーＤ２ｎ（ｎ＝１，２，３，…）を受信すれば保存し（ステップ４８４）、初期立ち上げ時の制御を終了する。なお、監視制御部７１はＤ２ｎとＤ１ｎ　の差分Ｄｎ（＝Ｄ２ｎ−Ｄ１ｎ）を演算し、補正値として保存しておくこともできる。
【００２５】
図１１の処理において、スペクトルアナライザ６４及び監視制御部７１は共に、波長増減設が発生したか監視する（ステップ４１１、４９１）。又、ラマンアンプ６２は、スペクトルアナライザ６４から光増幅器６３の入力部あるいは出力部における波長毎のパワーＰｎ（ｎは波長番号）を受信したか監視すると共に、監視制御部７１から補正値Ｄｎを受信したか監視する（ステップ４６１）。
スペクトルアナライザ６４は、波長増減設を検出すれば、光増幅器６３の入力部あるいは出力部における波長毎のパワーＰｎを測定してラマンアンプ６２に通知し（ステップ４１２）、該ラマンアンプによる平坦化制御の終了を待つ（ステップ４１３）。又、監視制御部７１は、波長増減設を検出すれば、保存してあるプリエンファシス制御前後の波長特性Ｄ１，Ｄ２ｎの差分Ｄｎ（＝Ｄ２ｎ−Ｄ１ｎ）を補正値として演算し、該補正値をラマンアンプ６２に通知し（ステップ４９２）、プリエンファシス制御前の波長毎のパワーＤ１ｎ（ｎ＝１，２，３，…）の受信を待つ（ステップ４９３）。
ラマンアンプ６２は、スペクトルアナライザ６４より波長毎のパワーＰｎを受信し、かつ、監視制御部７１より補正値Ｄｎを受信すれば、（１）式に従って波長毎のパワーＰｎ′を演算し（ステップ４６２）、このパワーＰｎ′を用いて平坦化制御を行い（ステップ４６３）、増減設時の制御を終了する。
【００２６】
スペクトルアナライザ６４は、ラマンアンプ６２による平坦化制御が終了すれば、プリエンファシス制御前の光増幅器６３の入力部あるいは出力部における波長毎のパワーＤ１ｎ′（ｎ＝１，２，３，…）を測定して監視制御部７１に通知し（ステップ４１４）、プリエンファシス制御の完了を待つ（ステップ４１５）。スペクトルアナライザ６４は、プリエンファシス制御が完了すれば、光増幅器６３の入力部あるいは出力部におけるパワーＤ２ｎ′を測定して監視制御部７１に通知し（ステップ４１６）、波長増減設時の制御を終了する。
監視制御部７１は、ステップ４９３において、プリエンファシス制御前の波長毎のパワーＤ１ｎ′（ｎ＝１，２，３，…）の受信すれば、該パワーＤ１ｎ′を保存し（ステップ４９４）、以後、プリエンファシス制御後の波長毎のパワーＤ２ｎ′（ｎ＝１，２，３，…）の受信を待つ（ステップ４９５）。そして、プリエンファシス制御後の波長毎のパワーＤ２ｎ′（ｎ＝１，２，３，…）を受信すれば保存し（ステップ４９６）、波長増減設時の制御を終了する。監視制御部７１はＤ２ｎ′とＤ１ｎ′　の差分Ｄｎ′（＝Ｄ２ｎ′−Ｄ１ｎ′）を演算し、平坦化制御の補正値Ｄｎを新たにＤｎ＝Ｄｎ（ｏｌｄ）＋Ｄｎ′と置きかえて保存する。（Ｄｎ（ｏｌｄ）は前回の補正値Ｄｎ）
【００２７】
（Ｆ）第４実施例の平坦化制御
図１２は第４実施例の平坦化制御を説明するための波長多重光伝送システムの構成図であり、図９の波長多重光伝送システムと同一部分には同一符号を付している。図９のシステムと異なる点は、第３実施例では監視制御部が補正値Ｄｎを演算しているが、第４実施例では、外部制御装置８１を設け、該外部制御装置８１が補正値Ｄｎを演算して各ノードのラマンアンプ６３に送信する点である。
外部制御装置８１はパソコン構成になっており、ノードＦの監視制御部７１に接続し、該監視制御部及び上り、下りリンクを介して監視制御信号を各ノードと送受可能になっている。図１３はノード間の監視制御信号送受の説明図である。
隣接する２つの第１、第２ノード１０１，１０２はノードＥＷ側リンク（上りリンク）１０３とＷＥ側リンク（下りリンク）１０４で接続されている。各ノードには上り、下りの光増幅器１１１、１１２が設けられ、その前後には分波部１１３，１１４、合波器１１５，１１６が設けられている。分波器１１３，１１４は監視制御信号に割り当てた波長の光を分波し、該波長光をＯ／Ｅ変換部（光・電気変換部）１１７，１１８を介して監視制御部１１９に入力する。監視制御部１１９は受信した監視制御信号に含まれる補正値Ｄｎを抽出してラマンアンプ６４に入力する制御や光増幅器１１１，１１２のスロープ補正の実施、不実施の制御、その他の制御を実施する。又、監視制御部１１９は、プリエンファシス制御前後の光増幅器のパワーＤ１ｎ，Ｄ２ｎをスペクトルアナライザ６４から受信して、監視制御信号に含めてＥ／Ｏ変換部１２１，１２２に入力する。Ｅ／Ｏ変換部１２１，１２２は監視制御信号を所定の波長の光に変換し、合波器１１５、１１６はＷＤＭ主信号光と監視制御信号光を合波して隣接ノードに向けて送信する。なお、図１３においてラマンアンプ、スペクトルアナライザは図示しないが適宜、分波器１１３，１１４と光増幅器１１１，１１２の間に挿入される。
【００２８】
図１２において、各ノードの監視制御部７１はプリエンファシス制御前後のパワーデータＤ１ｎ，Ｄ２ｎを監視制御信号で外部制御装置８１に通知する。外部制御装置８１は、各ノードの監視制御部７１より受信したパワーデータＤ１ｎ，Ｄ２ｎを用いてノード毎に補正値Ｄｎを演算して保存する。
そして、波長増減設時、外部制御装置８１は監視制御信号を用いて各ノードのラマンアンプ６２の補正値Ｄｎを監視制御部７１を介して該ラマンアンプに通知する。ラマンアンプ６２は、波長増減設時の光パワー均一化制御において、光増幅器６３のパワーＰｎから受信した補正値Ｄｎを減算した値Ｐｎ′を用いて光パワー均一化制御を行う。
【００２９】
（Ｇ）変形例
以上では、光増幅器６３の入力部あるいは出力部における光パワーに基づいて補正値Ｄｎを算出したが、光ＳＮＲ均一化制御前の送信端における各波長の光パワー減衰量と、光ＳＮＲ均一化制御後の送信端における各波長の光パワー減衰量との差分により前記補正値を取得するように構成することもできる。この場合、監視制御信号を用いて各波長の光パワー減衰量を各ノードのラマンアンプへ通知する。
【００３０】
・付記
（付記１）　光損失媒質と該光損失媒質における損失を補償するための光増幅器やラマンアンプが従属接続された波長多重光伝送システムにおいて、
ラマンアンプの励起比率を調整することにより次段の光増幅器に入力する光パワーレベルを均一にするパワーレベル均一化手段、
送信端にてパワーレベルを調整して受信端の光ＳＮＲを均一にする光ＳＮＲ均一化手段、
光ＳＮＲ均一化制御の前後における各波長のパワー変化分を表す補正値を取得する補正値取得手段、
を備え、
前記パワーレベル均一化手段は、ラマンアンプでのパワーレベル均一化制御に際して、前回の光ＳＮＲ均一化制御前後における各波長のパワー変化分を表わす前記補正値を使用して均一化制御を行い、しかる後、前記光ＳＮＲ均一化手段は光ＳＮＲ均一化制御を行う、
ことを特徴とする波長多重光伝送システム。
（付記２）　前記補正値取得手段は、スペクトルアナライザが検出した光ＳＮＲ均一化制御前後における各波長の光パワーの差分を前記補正値として算出する、
ことを特徴とする付記１記載の波長多重光伝送システム。
（付記３）　前記光ＳＮＲ均一化手段は光ＳＮＲ均一化制御に使用する光可変アッテネータを備え、
前記補正値取得手段は、光ＳＮＲ均一化制御前の送信端における各波長の光パワー減衰量と、光ＳＮＲ均一化制御後の送信端における各波長の光パワー減衰量との差分により前記補正値を取得する、
ことを特徴とする付記１記載の波長多重光伝送システム。
（付記４）　前記補正値取得手段をラマンアンプ側に設け、該補正値取得手段は、光パワー均一化制御時にスペクトルアナライザが検出した各波長の光パワーから前記補正値を減算し、ラマンアンプは該減算結果に基づいて光パワー均一化制御を行う、
ことを特徴とする付記２記載の波長多重光伝送システム。
（付記５）　前記補正値取得手段をスペクトルアナライザ側に設け、該補正値取得手段は、光パワー均一化制御時にスペクトルアナライザが検出した各波長の光パワーから前記補正値を減算して減算結果をラマンアンプに入力し、ラマンアンプは該減算結果に基づいて光パワー均一化制御を行う、
ことを特徴とする付記２記載の波長多重光伝送システム。
（付記６）　前記補正値取得手段は、中継局に設けられた監視制御装置であり、監視制御装置は、ラマンアンプに設けられたスペクトルアナライザが検出した光ＳＮＲ均一化制御前後における各波長の光パワーの差分を前記補正値として算出し、光パワー均一化制御に際して、該スペクトルアナライザが検出した各波長の光パワーから前記補正値を減算して減算結果をラマンアンプに入力し、
ラマンアンプは該減算結果に基づいて光パワー均一化制御を行う、
ことを特徴とする付記１記載の波長多重光伝送システム。
（付記７）　監視制御信号を各中継局と送受信可能な外部制御装置を備え、
該外部制御装置は光ＳＮＲ均一化制御前後の光パワーデータを入力されて前記補正値を計算し、ラマンアンプによる前記光パワー均一化制御に際して監視制御信号を用いて該補正値をラマンアンプに送付し、ラマンアンプは該光パワー均一化制御時における光パワーデータから前記補正値を減算した値を用いて光パワー均一化制御を行う、
ことを特徴とす付記１記載の波長多重光伝送システム。
（付記８）　光損失媒質と該光損失媒質における損失を補償するための光増幅器やラマンアンプが従属接続された波長多重光伝送システムの中継局において、
ラマンアンプの励起比率を調整することにより次段の光増幅器に入力する光パワーレベルを均一にするパワーレベル均一化手段、
受信端の光ＳＮＲを均一にするための送信端における光ＳＮＲ均一化制御前後における各波長のパワー変化分を表す補正値を取得する補正値取得手段、
を備え、
前記パワーレベル均一化手段は、ラマンアンプでのパワーレベル均一化制御に際して、前回の光ＳＮＲ均一化制御において取得した前記補正値を使用して均一化を行う、
ことを特徴とする波長多重光伝送システムの中継局。
（付記９）　前記補正値取得手段は、スペクトルアナライザが検出した光ＳＮＲ均一化制御前後における各波長の光パワーの差分を前記補正値として算出する、
ことを特徴とする付記８記載の中継局。
（付記１０）　前記補正値取得手段をラマンアンプ側に設け、該補正値取得手段は、光パワー均一化制御時にスペクトルアナライザが検出した各波長の光パワーから前記補正値を減算し、ラマンアンプは該減算結果に基づいて光パワー均一化制御を行う、
ことを特徴とする付記９載の中継局。
（付記１１）　前記補正値取得手段をスペクトルアナライザ側に設け、該補正値取得手段は、光パワー均一化制御時にスペクトルアナライザが検出した各波長の光パワーから前記補正値を減算して減算結果をラマンアンプに入力し、ラマンアンプは該減算結果に基づいて光パワー均一化制御を行う、
ことを特徴とする付記９記載の中継局。
（付記１２）　前記補正値取得手段は、中継局に設けられた監視制御装置であり、該監視制御装置は、ラマンアンプに設けられたスペクトルアナライザが検出した光ＳＮＲ均一化制御前後における各波長の光パワーの差分を前記補正値として算出し、光パワー均一化制御に際してスペクトルアナライザが検出した各波長の光パワーから前記補正値を減算して減算結果をラマンアンプに入力し、
ラマンアンプは該減算結果に基づいて光パワー均一化制御を行う、
ことを特徴とすることを特徴とする付記８記載の中継局。
【００３１】
【発明の効果】
以上の本発明の波長多重光伝送システム及び中継局によれば、前回のプリエンファシス後のスペクトルを保ちつつ、かつ、増設した波長に対してはできる限り平坦になるように増設後の平坦化制御を行うことができる。
又、本発明によれば、平坦化後に光プリエンファシス制御を行うため光プリエンファシス制御に負担を掛けないようにすることができる。
また、本発明によれば、監視制御部や外部制御装置に補正値の演算、保存制御を行わせることができ、ラマンアンプの負担を軽減することができる。
【図面の簡単な説明】
【図１】本発明の初期立ち上げ時及び波長増減設時の全体の処理フローである。
【図２】波長多重光伝送システムである。
【図３】第１実施例の平坦化制御を説明するための最小限のノード構成図である。
【図４】第１実施例の初期立ち上げ時におけるラマンアンプとスペクトルアナライザの処理フローである。
【図５】第１実施例の波長増減設時におけるラマンアンプとスペクトルアナライザの処理フローである。
【図６】第２実施例の平坦化制御を説明するための最小限のノード構成図である。
【図７】第２実施例の初期立ち上げ時におけるラマンアンプとスペクトルアナライザの処理フローである。
【図８】第２実施例の波長増減設時におけるラマンアンプとスペクトルアナライザの処理フローである。
【図９】第３実施例の平坦化制御を説明するための波長多重光伝送システムの構成図である。
【図１０】第３実施例の初期立ち上げ時におけるラマンアンプ、スペクトルアナライザ、監視制御部の処理フローである。
【図１１】第３実施例の波長増減設時におけるラマンアンプ、スペクトルアナライザ、監視制御部の処理フローである。
【図１２】第４実施例の平坦化制御を説明するための波長多重光伝送システムの構成図である。
【図１３】ノード間の監視制御信号送受の説明図である。
【図１４】光プリエンファシス制御の説明図である。
【図１５】ラマンアンプの平坦化制御の構成図である。
【図１６】第１の励起光波長と利得の関係図である。
【図１７】第２の励起光波長と利得の関係図である。
【符号の説明】
６１　光ファイバよりなる光伝送路
６２　平坦化制御を行うラマンアンプ（ＲＭＡ）
６３　光信号を増幅する光増幅器
６４　スペクトルアナライザ（ＳＰＡ）
【図１】
2004144815.tif 000004
【図２】
2004144815.tif 000005
【図３】
2004144815.tif 000006
【図４】
2004144815.tif 000007
【図５】
2004144815.tif 000008
【図６】
2004144815.tif 000009
【図７】
2004144815.tif 000010
【図８】
2004144815.tif 000011
【図９】
2004144815.tif 000012
【図１０】
2004144815.tif 000013
【図１１】
2004144815.tif 000014
【図１２】
2004144815.tif 000015
【図１３】
2004144815.tif 000016
【図１４】
2004144815.tif 000017
【図１５】
2004144815.tif 000018
【図１６】
2004144815.tif 000019
【図１７】
2004144815.tif 000020